Podtech/llm-jp-corpus-v4-ja_patent huggingface dataset:
(57)【要約】      （修正有）【課題】鋼構造物建設の建設機械において、特に現場が狭い道路に面し、クレーン車が入れない現場においても、入って行くことが出来、油圧ショベルのバケットで土を掘削をして基礎工事をし、そして油圧ショベルのバケットを外し、油圧ショベルのブームに、クレーンのブームとウインチを取り付け、クレーンのフックで鋼構造物を吊り上げ組立施工できる油圧ショベルを提供する。【解決手段】鋼構造物の基礎工事に使用している油圧ショベル１の先端ブームの既設の先端穴、すぐ下の穴の２個の穴とピンを使用してクレーンのブーム７を油圧ショベルの先端ブームに取付け、ウインチ１０を取付け、クレーンとして使用することを特徴とする。【選択図】図２
0003197356.tif 000002
【実用新案登録請求の範囲】
【請求項１】
油圧ショベル（１）の先端ブーム（３）のバケット（２）を取り外し、先端ブーム（３）のバケット（２）取り付けの先端穴（４）と、すぐ下の穴（５）ピン（６）を利用して、クレーンのブーム（７）に、油圧ショベル（１）の先端ブーム設置金具（８）、（９）、を取付け、先端穴（４）と、すぐ下の穴（５）と、ピン（６）により、クレーンのブーム（７）を、油圧ショベル（１）の、先端ブーム（３）に取付け、ウインチ（１０）を、油圧ショベル（１）に設置し、ウインチ（１０）の、ワイヤー（１１）を、クレーンのブーム（７）の先端の滑車（１２）に通し、ワイヤー（１１）の先端に、フック（１３）を取り付け、クレーンとして使用されている、油圧ショベル。
【考案の詳細な説明】
【技術分野】
【０００１】  本考案は建設機械の油圧ショベルのバケットを外し、クレーンのブームとウインチを取り付け、移動式クレーンとして使用することに関するものです。
【背景技術】
【０００２】  建設機械の使用状況は、１台１役が多くあり、鋼構造物工事等において、油圧ショベルで構を掘削し、鋼構造物の基礎を作り、クレーン車で鋼構造物を建てる工程の施工をしております。
【考案の開示】
【考案が解決しようとする課題】
【０００３】  鋼構造物建設で建設機械を使用しておりますが、特に現場が狭い道路に面している場合、クレーン車が入れない現場等において、油圧ショベル機械は狭い道路の現場でも入って行くことが出来、油圧ショベルのバケットで土を掘削をして基礎工事をし、そして油圧ショベルのバケットを外し、油圧ショベルのブームに、クレーンのブームとウインチを取り付け、クレーンのフックで鋼構造物を吊り上げ組立施工をする。
【課題を解決しようとする手段】
【０００４】  本考案を図と共に説明すれば、図１の様に建設機械の油圧ショベルのバケット（２）を油圧ショベルの先端のブーム（３）から外す、そうするとバケット（２）と先端のブーム（３）との接続部分は、先端ブーム（３）の先端穴（４）とすぐ下の穴（５）の２カ所の穴と２本のピン（６）で接続されております。油圧ショベルのバケット（２）を外すと先端穴（４）とすぐ下の穴（５）を利用して、図２の様にクレーンのブーム（７）の根元に先端穴（４）とすぐ下の穴（５）とに固定する、金具（８）（９）を取り付ける、そして油圧ショベル（１）の先端のブーム（３）の先端穴（４）とすぐ下の穴（５）にクレーンのブーム（７）の根元に取り付けた金具（８）（９）を合わせ２本のピン（６）を差し込み、油圧ショベル（１）の先端のブーム（３）にクレーンのブーム（７）を固定する。
【０００５】  そしてウインチ（１０）を油圧ショベル（１）の運転席の近くに取り付け、ウインチ（１０）のワイヤー（１１）をクレーンのブームの先端の滑車（１２）に通し、ワイヤー（１１）の先端にフック（１３）を取り付ける。
【産業上の利用可能性】
【０００６】  移動式クレーン車は車幅が広く、狭い現場まで入ることが出来ないことがあるが油圧ショベルは、車幅が狭いので現場でも入ることが出来、掘削とクレーンの吊り上げが出来、大変便利である。そして油圧ショベルに元々ある先端穴、ピン等でを利用してクレーンのブームを固定したので、わざ々改造して費用が掛かったものではなく、どの油圧ショベルでも利用することが出来る。
【図面の簡単な説明】
【０００７】
【図１】本考案の先端ブームよりバケットを外す図
【図２】本考案のクレーンのブーム取付け図
【符号の説明】
【０００８】１、  油圧ショベル
２、  バケット
３、  先端ブーム
４、  先端穴
５、  すぐ下の穴
６、  ピン
７、  クレーンのブーム
８、  金具
９、  金具
１０、ウインチ
１１、ワイヤー
１２、滑車
１３、フック
【図１】
0003197356.tif 000003
【図２】
0003197356.tif 000004
(57)【要約】      （修正有）【課題】財布等からの出し入れを容易に行なえるよう、指のすべりを抑えるよう加工されたカードを簡便に製造したカードを提供する。【解決手段】上下、左右、及び裏表の一部に立体コピー及びシルク印刷等により表面に盛り上がり２を設け、指のすべりを抑えるよう加工することにより、財布等から出し入れを行なうカード１の出し入れを容易に行なえるよう加工したことを特徴とする。【選択図】図１
0003197357.tif 000002
【実用新案登録請求の範囲】
【請求項１】
いわゆるＩＣカード、クレジットカード、デビッドカード、キャッシュカード、ポイントカード等財布等から出し入れを行なうカードの出し入れを容易に行なえるよう、上下、左右、及び裏表の一部に立体コピー及びシルク印刷等により表面に盛り上がりを設け、指のすべりを抑えるよう加工したカード。
【考案の詳細な説明】
【技術分野】
【０００１】この考案は、いわゆるＩＣカード、クレジットカード、デビッドカード、キャッシュカード、ポイントカード等財布等から出し入れを行なうカードの出し入れを容易に行なえるよう、指のすべりを抑えるよう加工されたカードである。
【背景技術】
【０００２】近来、いわゆるＩＣカード、クレジットカード、デビッドカード、キャッシュカード、ポイントカード等のカード類の発行枚数が増加し、これらを財布等の中に入れて持ち歩く人が増えている。
しかしながら、カードが財布等内に密着したり、指がすべったりすることにより、財布等からの出し入れが容易ではなく、また、カードにエンボス加工を施したり、切れ込みや溝を切ったりする方法が提案されてはいるが、加工に際し、新たな製造工程を追加せざるを得ず、技術面やコスト面において、容易にかつ安価に製造できる、指のすべりを抑え財布等からの出し入れを容易にしたカードはなかった。
【考案の開示】
【考案が解決しようとする課題】
【０００３】従来、いわゆるＩＣカード、クレジットカード、デビッドカード、キャッシュカード、ポイントカード等のカード類を財布等のカード収納部に入れておくと、収納部との摩擦等により財布等から容易に取り出せない、指がすべって取り出しづらいという問題点があった。
【課題を解決するための手段】
【０００４】このような目的は、下記の本考案により達成される。【０００５】請求項の、上下、左右、及び裏表の一部に立体コピー及びシルク印刷等により表面に盛り上がりを設け、指のすべりを抑えるよう加工することにより、財布等から出し入れを行なうカードの出し入れを容易に行なえるよう加工したカードの製造。
【考案の効果】
【０００６】以上述べたように、本考案により、いわゆるＩＣカード、クレジットカード、デビッドカード、キャッシュカード、ポイントカード等のカード類を財布等から容易に取り出すことができる。
【実施例】
【０００７】以下、実施例により本考案の実施様態を具体的に説明する。ただし、本考案はこれらの実施例にその技術範囲が限定されるものではない。【０００８】上下、左右、及び裏表の一部に立体コピー及びシルク印刷等により表面に盛り上がりを設け、指のすべりを抑えるよう加工したカードを製造する。図１、図２及び図３に本実施例を示す。
尚、立体コピー及びシルク印刷等の形状は特定された形状ではなく、上下、左右、上下左右、表、裏、裏表のいずれかの場所を特定したものではない。
【産業上の利用可能性】
【０００９】現行の出来上がったカード素材に簡単な加工を加えることにより、指のすべりを抑え、財布等から容易に取り出すことのできるカードを簡便に製造することが可能となる。
【図面の簡単な説明】
【００１０】
【図１】本考案の上下、左右、及び裏表の一部に立体コピー及びシルク印刷等により表面に突起状の盛り上がりを設け、指のすべりを抑えるよう加工したカードにおける実施例を示した説明図である。
【図２】本考案の上下、左右、及び裏表の一部に立体コピー及びシルク印刷等により表面に帯状の盛り上がりを設け、指のすべりを抑えるよう加工したカードにおける実施例を示した説明図である。
【図３】本考案の上下、左右、及び裏表の一部に立体コピー及びシルク印刷等により表面に複数の帯状の盛り上がりを設け、指のすべりを抑えるよう加工したカードにおける実施例を示した説明図である。
【符合の説明】
【００１１】１    カード
２    突起状の盛り上がり
３    帯状の盛り上がり
【図１】
0003197357.tif 000003
【図２】
0003197357.tif 000004
【図３】
0003197357.tif 000005
(57)【要約】      （修正有） 【課題】整理の必要のない時や流通段階で梱包保管時や輸送時に従来の約３０％のスペースで収納できる自転車スタンドを提供する。【解決手段】フレーム小５を設置したコ型の左ベース１とフレーム小５を設置したコ型の右ベース２とフレーム大４を設置したＨ型の中央ベース３を、左ベース１、中央ベース３、右ベース２の順に並べて、Ｉ型の接続プレート６を介してボルト、ナット７により接続する。【選択図】図１
0003197339.tif 000002
【実用新案登録請求の範囲】
【請求項１】
ベースを左ベースと右ベース及び中央ベースの３分割とし接続プレート及びボルトセットで接続固定して使用し、前記ボルトセットを取り外す事により梱包保管時や輸送時の小スペースが可能な自転車スタンド。
【考案の詳細な説明】
【技術分野】
【０００１】
本考案は収納の分野で玄関やガレージ等で自転車を整理収納する時に利用するラックに関するものである。
【０００２】
従来から玄関やカ゛レーシ゛等で自転車を整理収納するラックがあった。
【考案の概要】
【考案が解決しようとする課題】
【０００３】
従来の物は商品として流通段階で梱包保管時も自転車を整理収納するラックとして使用時も同じ大スペースが必要である。
２従来一体型であった架台を３分割し、分割された架台を接続プレート及びボルト、ナットにて接続する事により整理の必要のない時や流通段階で梱包保管時や輸送時に従来の約３０％のスペースで収納できる。
【課題を解決するための手段】
【０００４】
従来の物はフレームが一体型のため流通段階で梱包保管時や輸送時も自転車を整理収納するラックとして使用時も大スペースが必要である。
本考案は架台を３分割し、分割された架台を接続プレート及びボルト、ナットで接続する事により整理の必要のない時や流通段階で梱包保管時や輸送時に従来の約３０パーセントのスペースで収納する事が可能になる。
本考案はこれ等の問題点を解決する為に考案された物である。
【考案の効果】
【０００５】
自転車の整理収納の必要の無い時や流通段階で梱包保管時や輸送時にはベースを３分割する事により従来の約３０％のスペースで収納できる。
【図面の簡単な説明】
【０００６】
【図１】正面図
【図２】左側面図
【図３】右側面図
【図４】部品図
【図５】従来の物の図及び今回考案の物の図
【図６】今回考案の図
【考案を実施するための形態】
【０００７】
（図1）正面図
（図2）左側面図
（図３）右側面図
（図1〜3の符号）
１左ベース
（２）
２右ベース
３中央ベース
４フレーム大
５小フレーム小
６接続プレート
７ボルトセット
【符号の説明】
【０００８】
１左ベース
２右ベース
３中央ベース
４フレーム大
５フレーム小
６接続プレート
７ボルトセット
【図１】
0003197339.tif 000003
【図２】
0003197339.tif 000004
【図３】
0003197339.tif 000005
【図４】
0003197339.tif 000006
【図５】
0003197339.tif 000007
【図６】
0003197339.tif 000008
【手続補正書】
【提出日】平成27年2月26日(2015.2.26)
【手続補正１】
【補正対象書類名】実用新案登録請求の範囲
【補正対象項目名】全文
【補正方法】変更
【補正の内容】
【実用新案登録請求の範囲】
【請求項１】
フレーム小を設置したコ型の左ベースとフレーム小を設置したコ型の右ベースとフレーム大を設置したＨ型の中央ベースを、左ベース、中央ベース、右ベースの順に並べて、Ｉ型の接続プレートを介してボルト、ナットにより接続したことを特徴とする自転車スタンド。
(57)【要約】      （修正有）【課題】抜きやすくはずれにくく、かつ多様なコーンに使用できるコーン用クイックイージー警告誘導ライトを提供する。【解決手段】コーン５の上部に、コーンにフィットするキャップ４をジョイントしたライト１を差し込みそのライトを切り替えスイッチ３で切り替えて警告や矢印誘導をするようにした。各種コーンに対応できるよう、キャップ部は軟質樹脂(ＰＶＣ)製にし、コーンと触れ合う内部は縦に何本かのスリットをほどこす。コーン外部と線接触となり、抜きやすくはずれにくくなる。  【選択図】図１
0003197334.tif 000002
【実用新案登録請求の範囲】
【請求項１】
コーンをスタンドにした切替スイッチで簡単に警告灯と誘導灯にも使用できるコーン用クイックイージー警告矢印誘導ライト。
【請求項２】
PVC製でスリット構造のため抜けやすくはずれにくくなり、多様なコーンに使用できるようになったコーン用クイックイージー警告誘導ライト。
【考案の詳細な説明】
【技術分野】
【０００１】
本発明は車両や人の誘導と警告ができる簡易型標識に関する。
【背景技術】
【０００２】
従来のコーンにかぶせるライトは警告ライトであり、キャップ部もコーンにより異なるため不自由なものであった。また一部に各種コーンに対応したキャップ部も存在するがはずれやすいものであった。
【先行技術文献】
【非特許文献】
【０００３】
【非特許文献１】「総合カタログ」株式会社ポータ工業ｐ２０
【考案の概要】
【考案が解決しようとする課題】
【０００４】
本発明は、以上のような不自由をなくすため、キャップ部は各種コーンに対応するものとし、持ち運びが容易いコーンを多目的に利用ため誘導ライトの機能を付加することを課題とする。
【課題を解決するための手段】
【０００５】
上記目的を達成するために、本発明は各種コーンに対応できるよう、キャップ部は軟質樹脂(ＰＶＣ)製にし、接続部分は面接続ではなく線接続の構造としたのである。また、キャップ部の上に切り替えスイッチで誘導と警告が選択できるライトを装着したのである。
【考案の効果】
【０００６】
以上の説明から明らかなように、本発明にあっては次に列挙する効果がえられる。
（１）キャップ部が各種コーンに対応できるため自由度が増す。
【０００７】
（２）持ち運びが容易いコーンに装着したライトで警告と誘導ができるようになり利便性が増す。
（３）重ねて保管できるコーンで警告と誘導ができるため警告誘導機器の保管スペースを狭めることができる。
【図面の簡単な説明】
【０００８】
【図１】本件「コーン用クイックイージー警矢印告誘導ライト」の全体を説明する斜視図です。
【考案を実施するための形態】
【０００９】
以下、本発明の実施の形態を図に基づいて説明する。
【実施例１】
【００１０】
図１は本発明の実施例１の設置したときの全体斜視図である。１ライト本体は４キャップ部と一体となっており本体の横に４段階の３切替スイッチがある。２ライト表示部が警告ライト→左矢印→右矢印→オフと切り替わってゆくのである。４キャップ部は５コーンと触れ合う内部は縦に何本かのスリットがほどこされコーン外部と線接触なため抜きやすい構造となっている。しかし、材質が弾力のあるPVC製のためスリットを山として引っ張り構図になっているため抜けにくくなっているのである。また弾力性であり引っ張り構造性であるため多様な１コーンにも使用できるのである。
【産業上の利用可能性】
【００１１】
本考案は警告誘導をする際、もっとも軽く手軽な方法でひとつのコーンとひとつのライトできるようになるのである。
【符号の説明】
【００１２】
１  ライト本体
２  ライト表示部
３  切替スイッチ
４  キャップ部
５  コーン  
【図１】
0003197334.tif 000003
【手続補正書】
【提出日】平成27年3月11日(2015.3.11)
【手続補正１】
【補正対象書類名】実用新案登録請求の範囲
【補正対象項目名】全文
【補正方法】変更
【補正の内容】
【実用新案登録請求の範囲】
【請求項１】
コーンをスタンドにした切替スイッチで簡単に警告灯と誘導灯にも使用できるコーン用クイックイージー警告矢印誘導ライト。
【請求項２】
コーンにかぶせるキャップ部が軟質樹脂製で接続部分は面接族ではなく線接続の構造のため抜けやすくはずれにくくなり、多様なコーンに使用できるようになったことを特徴とする請求項１に記載のコーン用クイックイージー警告誘導ライト。
(57)【要約】      （修正有）【課題】いかにわずらわしさがなく片手で簡単に着脱できて外れにくい、簡単装着手首ベルトを提供する。【解決手段】手首ベルトの本体部分１の両端が、面ファスナー部分２で連結されて輪状になる手首ベルトであって、面ファスナー部分２に表面に「フック」と「ループ」の両方を兼ね備えた面ファスナーを使用することにより、片手での着脱と装着中のフィット感を提供する。【選択図】図３
0003197335.tif 000002
【実用新案登録請求の範囲】
【請求項１】
簡単装着手首ベルトは、面ファスナー部分（１）に表面に「フック」と「ループ」の両方を兼ね備えた面ファスナーを使用することにより、一般的な手首サポーターでは出来なかった、片手での着脱と装着中のフィット感を提供する。
【考案の詳細な説明】
【考案の詳細な説明】
【技術分野】
【０００１】本考案は、手首ベルトの応用に関するものである。
手首ベルトで積極的に美容や健康商品として利用する為に考案したものである。
【在来の技術】
【０００２】従来の手首ベルト［図５］は手首に巻き付け面ファスナーで止めるタイプが主流でした。
そのため片手では簡単に装着できない上、長時間の装着や手を動かすことにより、ずれたり外れたりすることが問題になっていました。
特に外れた場合は気が付かないで落として紛失してしまう事が良くあった。
【考案が解決しようとする課題】
【０００３】本考案は、いかにわずらわしさがなく片手で簡単に着脱できて外れにくく、万が一外れて落下しても紛失することが無い様にした手首ベルトである。
【課題を解決する為の手段】
【０００４】一般的に良く使われる手首ベルト（２）の使い勝手を向上させることを目的とする。
手首ベルト本体部分（１）の構造が輪状［図３］になっており、両端が表面に「フック」と「ループ」の両方を兼ね備えた面ファスナー（２）で連結されており、伸縮性、通気性、速乾性に優れた素材で出来ており、手を通し面ファスナーで止める構造になっている。
【考案の効果】
【０００５】▲１▼  シンプルなデザインで着用感が良く簡単にフィットさせる事が出来る。
▲２▼  伸縮素材で着用していない側の手で簡単に着脱できる。
▲３▼  デザインや加工方法が容易であるから、大量生産ができるメリットがある。
【図面の簡単な説明】
【図１】本考案の簡単装着手首ベルト、表面図である。
【図２】本考案の簡単装着手首ベルト、裏面図である。
【図３】本考案の簡単装着手首ベルト、正面図である。
【図４】従来の一般的な手首ベルトの表面図である。
【図５】本考案の簡単装着手首ベルトの装着図１である。
【図６】本考案の簡単装着手首ベルトの装着図２である。
【図７】本考案の簡単装着手首ベルトの装着図３である。
【符号の説明】１  簡単装着手首ベルト本体部分
２  簡単装着手首ベルト面ファスナー部分
【図１】
0003197335.tif 000003
【図２】
0003197335.tif 000004
【図３】
0003197335.tif 000005
【図４】
0003197335.tif 000006
【図５】
0003197335.tif 000007
【図６】
0003197335.tif 000008
【図７】
0003197335.tif 000009
【手続補正書】
【提出日】平成27年2月10日(2015.2.10)
【手続補正１】
【補正対象書類名】実用新案登録請求の範囲
【補正対象項目名】全文
【補正方法】変更
【補正の内容】
【実用新案登録請求の範囲】
【請求項１】
手首ベルトの本体部分（１）の両端が、面ファスナー部分（２）で連結されて輪状になる手首ベルトであって、面ファスナー部分（２）に表面に「フック」と「ループ」の両方を兼ね備えた面ファスナーを使用することにより、片手での着脱と装着中のフィット感を提供する簡単装着手首ベルト。
(57)【要約】      （修正有）【課題】痒み止め効果を長時間持続でき、且つ副作用が少ない皮膚の痒み止め用貼付剤を提供する。【解決手段】支持体２０と、前記支持体の表面に設けられた膏体３０とよりなり、前記膏体は、少なくともサリチル酸メチルと粘着剤とを含有することを特徴とする皮膚の痒み止め用貼付剤であって、前記支持体２０は、伸縮性を有する材料からなることを特徴とする。【選択図】図１
0003197332.tif 000002
【実用新案登録請求の範囲】
【請求項１】
少なくともサリチル酸メチルと粘着剤とを含有することを特徴とする皮膚の痒み止め用貼付剤。
【請求項２】
伸縮性を有することを特徴とする請求項1に記載の皮膚の痒み止め用貼付剤。
【考案の詳細な説明】
【技術分野】
【０００１】
本考案は、皮膚の痒みを止めるための貼付剤に関する。
【背景技術】
【０００２】
近年、空気の乾燥、ストレス、アトピー性皮膚炎、加齢による皮膚の乾燥等の種々の原因により皮膚に痒みが生じることが多い。
痒みが生じている患部を爪や孫の手で掻いたり、患部が衣服で擦れることで皮膚が傷ついて痒みが悪化する。
【０００３】
痒みの治療法として例えば液状やクリーム状の薬剤を塗布する方法が挙げられる（特許文献1参照）。
しかし、薬剤を塗布する場合、有効成分が揮発したり、汗や水で流失したり、衣服に付着して落ちてしまうため、効果が長時間持続しないという問題がある。また、高齢者等の手の動作が不自由な人にとっては適量の薬剤を正確に患部に塗布することが難しいという問題がある。
他の治療法として経口薬の投与が挙げられるが、経口薬は即効性に劣るという問題や眠気等の日常生活に支障を及ぼす程度の副作用が生じ易いという問題がある。
【先行技術文献】
【特許文献】
【０００４】
【特許文献１】特開平３−２９１２２１号公報
【考案の概要】
【考案が解決しようとする課題】
【０００５】
本考案は上記問題に鑑み、痒み止め効果を長時間持続でき、且つ副作用が少ない皮膚の痒み止め用貼付剤を提供することを目的とする。
【課題を解決するための手段】
【０００６】
本考案の皮膚の痒み止め用貼付剤は、少なくともサリチル酸メチルと粘着剤とを含有する。
また、伸縮性を有することを特徴とする。
【考案の効果】
【０００７】
本考案の皮膚の痒み止め用貼付剤は、関節痛や筋肉痛を緩和するいわゆる消炎効果や鎮痛効果を有することで知られるサリチル酸メチルを含有しており、粘着剤の粘着機能を利用して痒みが生じている患部に貼付する。
作用機序は必ずしも明確とはいえないが、サリチル酸メチル成分によって患部の痒みを抑えることができる。
また、患部の表面を本貼付剤で覆うことで患部の乾燥を防ぐと共に患部を爪等で描いたり、患部が衣服で擦れることを防止できるので、皮膚の傷つきを防止し、痒みの悪化を防止できる。
更に、患部の表面を覆うことでサリチル酸メチル成分が揮発したり、汗等で流出することを防止できるので、痒み止め効果を長時間持続できる。
また、患部に貼り付けるだけでよいので、液状やクリーム状の薬剤と比較して、高齢者等であっても薬剤を患部に容易且つ正確に供給することができる。
また、経口薬と比較して即効性に優れると共に副作用が生じ難いという利点もある。
また、伸縮性を有することにすれば、患部が関節等の屈曲箇所にある場合でも本貼付剤を確実に貼付できる。
【図面の簡単な説明】
【０００８】
【図１】貼付剤の構造を示す斜視図
【図２】貼付剤を手のひらに貼り付けた状態を示す図
【考案を実施するための形態】
【０００９】
本考案の皮膚の痒み止め用貼付剤（以下、単に「貼付剤」と表記する場合がある。）の実施の形態について説明する。
図1に示すように、本貼付剤10は支持体20の表面に、膏体30（粘着剤）を薄くのばし、その表面を剥離フィルム40（ライナー）で覆った三層構造になっている。
【００１０】
支持体20としては不織布、ニット、プラスチックフィルム、シリコーン系樹脂等が用いられる。支持体20の厚みは特に限定されない。支持体20に伸縮性を持たせるに場合には伸縮性を持つ繊維糸で編製された材料を用いるのがよい。
膏体30は、有効成分であるサリチル酸メチルと粘着成分とを少なくとも含有して構成されている。
粘着成分としては、例えば、ゼラチン、シリコーン系、天然又は合成ゴム系等、周知のものを使用すればよい。
膏体30には更に必要に応じてカオリン等の賦形剤や水、グリセリン、プロピレングリコール、1,3−ブチレングリコール、ポリエチレングリコール、ソルビトール等の多価アルコールを含有させてもよい。また、尿素等の周知の保湿成分や香料等を含有させてもよい。
剥離フィルム40は膏体30を保護するための被覆物で、ポリプロピレン、ポリエチレン、セロファン、ポリエステル、剥離紙等の周知のものを使用すればよい。
【００１１】
図2は貼付剤10を手のひらに貼り付けた状態を示している。貼付箇所は手のひらに限らず腕、脚、足、背中等、痒みが生じている患部であればどこに使用してもよい。
貼付剤10の使用時には剥離フィルム40を膏体30から剥がし、粘着機能を利用して膏体30の面を患部に貼り付けることで患部に有効成分を到達させ、痒みを鎮める効果を得られる。
本考案の皮膚の痒み止め用貼付剤10には、例えば久光製薬株式会社のサロンパス（登録商標）等の関節痛や筋肉痛等に対して消炎鎮痛効果を有することで知られる市販の貼付剤等も含まれるがこれに限られるものではない。
【産業上の利用可能性】
【００１２】
本考案は、痒み止め効果を長時間持続でき、且つ副作用が少ない皮膚の痒み止め用貼付剤に関するものであり、産業上の利用可能性を有する。
【符号の説明】
【００１３】
10 皮膚の痒み止め用貼付剤
20 支持体
30 膏体
40 剥離フィルム
【図１】
0003197332.tif 000003
【図２】
0003197332.tif 000004
【手続補正書】
【提出日】平成27年3月9日(2015.3.9)
【手続補正１】
【補正対象書類名】実用新案登録請求の範囲
【補正対象項目名】全文
【補正方法】変更
【補正の内容】
【実用新案登録請求の範囲】
【請求項１】
支持体（２０）と、前記支持体の表面に設けられた膏体（３０）とよりなり、前記膏体は、少なくともサリチル酸メチルと粘着剤とを含有することを特徴とする皮膚の痒み止め用貼付剤。
【請求項２】
前記支持体は、伸縮性を有する材料からなることを特徴とする請求項１に記載の皮膚の痒み止め用貼付剤。
【手続補正２】
【補正対象書類名】明細書
【補正対象項目名】０００６
【補正方法】変更
【補正の内容】
【０００６】
本考案の皮膚の痒み止め用貼付剤は、支持体と、前記支持体の表面に設けられた膏体とよりなり、前記膏体は、少なくともサリチル酸メチルと粘着剤とを含有することを特徴とする。
また、前記支持体は、伸縮性を有する材料からなることを特徴とする。
(57)【要約】      （修正有）【課題】複数の釣竿の持ち運び等を容易にすることができる釣竿収納ホルダーベルトを提供する。【解決手段】腰魚籠用ベルト１と、ベルトに取り付けられ、釣竿を収納する竿ホルダー２と、ベルトに取り付けられた複数の竿固定ベルト３，４とを有し、竿固定ベルトに取り付けられた面ファスナー３１〜３３、４１〜４３により釣竿をホルダーに収納してベルトに固定させる。【選択図】図１
0003197323.tif 000002
【実用新案登録請求の範囲】
【請求項１】
腰魚籠ベルトに竿ホルダー及び固定ベルトを取付けること依り、釣り竿を容易に取付けること特徴とする釣竿収納ホルダー。
【請求項２】
腰魚籠ベルトの表面に取付ける面ファスナーを長くすること依り、釣竿ホルダーの及び固定ベルトの取付け位置を調整することに依り使用者の体形に合わせて釣り竿ホスダーの位置を設定出来る。
【考案の詳細な説明】
【技術分野】
【０００１】この発明は釣竿の持ち運び等を容易にする為の釣竿収納ホルダーに関する。
【背景技術】
【０００２】釣竿を身の回りに保持するホルダーとしては、例えば特許文献１の釣竿ホルダーが知られている。この釣竿ホルダーは、釣竿の釣尻側が挿入される有底の筐体と、この筐体を身体に固定するためのバンドとを備えた、釣竿を定位置に保持するホルダーである。【０００３】しかしながら、特許文献１の釣竿ホルダーは、釣り人本人の周辺部に竿を立てたままで餌を取り替え作業などを行うことができるように、ホルダーの筒体を上向きに立てて身体に固定するものであるため、渓流釣り等、険しい道程の歩行には邪魔となって不適であるという問題がある。
【先行技術文献】
【特許文献】
【０００４】
【特許文献１】特開２００１−１４８９９０号公報
【考案の概要】
【考案が解決しようとする課題】
【０００５】本発明は、以上のような従来の欠点に鑑み、渓流釣り等の、険しい道程の中でも必ず予備竿を１・２本携帯する必要があることに対して、携帯品を出来るだけ集約し又、両手を自由に使用する事により、険しい道程の中でも釣りが容易に出来る為の釣竿収納ホルダーを提供することを目的とする。
【課題を解決するための手段】
【０００６】上記目的を達成するために、本発明は（［請求項１］及［請求項２］の構成要件）とで釣竿の収納ホルダーを構成している。
【考案の効果】
【０００７】以上の説明から明らかなように、本発明にあっては次ぎに列挙する効果が得られる。
（１）（［請求項１］の構成要件）とで構成されるので、予備の釣竿を容易にベルトに収納出来る。【０００８】（２）（［請求項２］によって、その人の体形に合った箇所に予備の釣竿を収納することにより、渓流釣り等の、険しい道程の中でも移動が容易となる。
【図面の簡単な説明】
【０００９】
【図１】この発明の構成図の斜視図
【図２】この発明の使用状態の斜視図
【図３】この発明の使用状態の斜視図
【考案を実施するための形態】
【００１０】以下、本発明を具体化した図を参照して説明する。
【実施例１】
【００１１】この発明の構成図を図１に示す。
腰魚籠用ベルト１、竿ホルダー（袋状）２、固定ベルト３，４の部品で構成している。夫々に面ファスナーが縫いつけて有り、腰魚籠用ベルト１の表面に長い面ファスナー（オス）１１，裏面に面ファスナー（オス）１２，１３を、竿ホルダー（布製・袋状）２の片面に面ファスナー（メス）２１を、固定ベルト３、４の表面センターに面ファスナー（メス）３１、４１を端部に面ファスナー（オス）３２，４２を裏面の逆端に面ファスナー（メス）３３，４３が縫い付けてある。
【実施例２】
【００１２】釣竿を取付けた状態の図を図２に示す。
腰魚籠用ベルト１の長い面ファスナー１１に竿ホルダー（布製・袋状）２を面ファスナー２１を使用して位置を調整しながら取付け、その袋部に釣竿を挿入し、固定ベルト３，４を腰魚籠用ベルト１の裏面の面ファスナー１２，１３に固定ベルトの面ファスナー３１，４１を使用して、固定ベルト３は釣竿の入った竿ホルダーごと固定ベルト面ファスナー３２，３３を使用して固定、固定ベルト４は釣竿の上部を固定ベルト面ファスナー４２，４３を使用して固定する。
【産業上の利用可能性】
【００１３】本発明は釣竿の収納ホルダーを製造する産業で利用される。
【符号の説明】
【００１４】１    腰魚籠用ベルト
１１  長い面ファスナー（オス）
１２  面ファスナー（オス）
１３  面ファスナー（オス）
２    竿ホルダー（布製・袋状）
２１  面ファスナー（メス）
３    固定ベルト
３１  面ファスナー（メス）
３２  面ファスナー（オス）
３３  面ファスナー（メス）
４    個定ベルト
４１  面ファスナー（メス）
４２  面ファスナー（オス）
４３  面ファスナー（メス）
【図１】
0003197323.tif 000003
【図２】
0003197323.tif 000004
【図３】
0003197323.tif 000005
【手続補正書】
【提出日】平成27年2月19日(2015.2.19)
【手続補正１】
【補正対象書類名】実用新案登録請求の範囲
【補正対象項目名】全文
【補正方法】変更
【補正の内容】
【実用新案登録請求の範囲】
【請求項１】
腰魚籠用ベルト（１）と、該ベルト（１）に取り付けられ、釣竿を収納する竿ホルダー（２）と、該ベルト（１）に取り付けられた複数の竿固定ベルト（３，４）と該竿固定ベルト（３，４）に取り付けられた面ファスナー（３１，３２，３３）（４１，４２，４３）により釣竿を該ホルダー（２）に収納して該ベルト（１）に固定させることを特徴とする釣竿の収納ホルダーベルト。
【請求項２】
腰魚籠用ベルト（１）に設けられた面ファスナー（１１，１２，１３）の長さを、竿ホルダー（２）とベルト（１）に固定する側面ファスナー（２１）の長さの２倍以上に構成してなることに依り、各々の体形や好みに合わせ釣竿の取り付け位置を調整することの出来る［請求項１］の釣竿の収納ホルダーベルト。
(57)【要約】      （修正有）【課題】外観のリアルさ・泳ぎの滑らかさの向上を図ることが可能なルアーを提供する。【解決手段】硬質素材のルアー本体１に、胸ヒレを模したソフト素材によるフィン・パーツ２やその他のヒレを模したソフト素材によるフィン・パーツ４を取り付ける。本物の魚に近い外観が得られるとともに、それらが適度な抵抗となり、無機質だった動きに滑らかさを与える。また、それ自体が微震動を伴い発生させる水流は、生命感にあふれたものとなり、より本物の魚の外観・動きに似せ、釣果が上がるようにする。【選択図】図１
0003197326.tif 000002
【実用新案登録請求の範囲】
【請求項１】
ルアー産業において、製造の簡略化・効率化が最優先されてきたため、多少のデザイン等の変更はあっても、製品そのものの形状や動きに、本質的な違いはなかった。
そのため、本考案で提示する、魚のヒレにあたるパーツの考案に着眼されることもなく、そこに新規性のある有用性が見いだされることはなかった。稀にあっても、ヒレをボディーに描いたり、ハード素材パーツで取り付けるという程度のものでしかなかった。それらもあくまで外観上のパーツに過ぎず、それ自体に機能を持たせたものは皆無であった。
そのような状況の中、ソフト・プラスチック素材によるヒレに模したパーツの有用性に着目し、そこに機能的・実用的価値を見出し、材料の選別・技術的な工夫・実証テストを繰り返し、実用的パーツとして昇華させていったのである。その有効性を提示するのが本考案である。
本考案では外観上のリアルさに加えて、ルアー・ボディーの水中での動きを極めて滑らかなものにし、さらには、水中姿勢の安定保持、生命感のある後方水流波動の発生というように、これまでのハード素材のルアーにはない、本質的に新規性のある機能を付与したものである。
本考案は、他のルアー・メーカーによって生産されているさまざまな種類のルアーに応用し、同様の効果を得ようとすることが予測されることからも、この考案の権利を主張・保持するため、実用特許の申請に至る。
【考案の詳細な説明】
【技術分野】
【０００１】  本考案は、釣具のハード素材のルアーに、魚のヒレに模したソフト・プラスチック素材のパーツを取り付け、これまでにない外観のリアルさを演出し、さらに水中での柔らかな泳ぎと生命感のある後方水流波動を発生させる、ルアーの開発に関するものである。
【背景技術】
【０００２】  ルアー産業の長い歴史において、ハード素材のルアーに、ヒレにあたるパーツが付けられることはほぼ皆無であった。仮にあっても、それ自体ハード素材によるもので、何ら機能を有しない。そこまでルアーそのものに外観のリアルさが求められてこなかったのと、ルアー製造を簡略化・低コスト化しようとする思惑があった実情がある。
【考案の概要】
【考案が解決しようとする課題】
【０００３】  しかしながら、やや魚の形状に似せただけのハード素材のかたまりでしかない動きに、本質的・決定的な違いはなく、魚もルアーを学習・認識しており、多くの釣り人が釣りに興じてはいるが、ルアーそのものに効力が無くなり、その釣果は年々厳しいものとなっている。本考案は、この課題を解消するためになされたものである。
【課題を解決するための手段】
【０００４】  魚の各所にある、胸ヒレを模したソフト素材によるフィン・パーツ２、その他のソフト素材によるフィン・パーツ４を、ソフトな素材で作製し、ハード素材のルアー本体１に取り付けることによって、本物の魚に極めて近い外観を備えることになる。特に前ヒレは、ボディーに貼り付いてしまい機能しないことがないように、ボディーに段差を設け、フィンを斜めに取り付けられるようにした。
【考案の効果】
【０００５】  そのルアーの泳ぎ・動きは、ヒレを模したフィンの一枚一枚が微震動を伴って動き、まさにヒレを動かして泳ぐ魚のように、後方へ生命感のある水流を受け流す。さらに前方からの水流によって、フィンが柔軟にたわみ絶妙な抵抗となるため、全体としてルアーの挙動の１つ１つを、滑らかでナチュラルなものとすることが可能となる。また、外観においても本物の魚のそれに一層近づけることが可能となる。それまでのルアーとは明らかに違う外観・動きに、釣果の向上が期待できる。
【考案を実施するための形態】
【０００６】  以下、本考案の実施の形態について説明する。
（イ）．ルアー本体１に、ソフト素材によるフィン・パーツ２を取り付ける。
（ロ）．ルアー本体１の取り付け部に段差３を設ける。
（ハ）その他のソフト素材によるフィン・パーツ４も、各所に適した方法にて、取り付        ける。
【図面の簡単な説明】
【０００７】
【図１】  ルアー側面から見て、ヒレを模したパーツを各所に装着した平面図である。
【図２】  ルアーを下から見た平面図である、胸ヒレ取り付け部のみ断面にした図である。
【符号の説明】
【０００８】１  ルアー本体
２  胸ヒレを模したソフト素材によるフィン・パーツ
３  段差
４  その他のヒレを模したソフト素材によるフィン・パーツ
【図１】
0003197326.tif 000003
【図２】
0003197326.tif 000004
【手続補正書】
【提出日】平成27年2月18日(2015.2.18)
【手続補正１】
【補正対象書類名】実用新案登録請求の範囲
【補正対象項目名】全文
【補正方法】変更
【補正の内容】
【実用新案登録請求の範囲】
【請求項１】
魚を模したハード素材ルアー本体と、それに装着するソフト・プラスチック素材でできた各部のヒレを模したパーツとの構成からなるルアー。
(57)【要約】      （修正有）【課題】Ｌ字型の鋼棒とＸ型の鋼材で構成された運搬が簡単な簡易形車イススロープを提供する。【解決手段】Ｌ字型の鋼棒１を２本、車イスのタイヤの幅に並べ、Ｘ型の鋼材２の先端に穴３をあけ、ボルト、ナットで鋼棒の間隔を固定する。簡単にスロープの作成と分解ができ、運搬のスペースを取らない。【選択図】図１
0003197322.tif 000002
【実用新案登録請求の範囲】
【請求項１】
Ｌ字型の鋼棒の間隔をＸ型の鋼材に端部に穴をあけ、ボルト・ナットで固定する簡易形車イススロープ。
【考案の詳細な説明】
【技術分野】
【０００１】本考案は、車イスのスロープに関するものである。
【背景技術】
【０００２】今までの車イススロープは、形が大きく運搬に不便であった。
【考案の開示】
【考案が解決しようとする課題】
【０００３】車イス用スロープを分解して運搬でき、前途の欠点を解決しようとするものである。
【課題を解決するための手段】
【０００４】本考案は、車イス用スロープを分解して運搬することで、問題点を解決している。
【考案の効果】
【０００５】上途のように、車イス用スロープを分解して運搬できるため、運搬スペースを取らずに済む。
【考案を実施するための最良の形態】
【０００６】Ｌ字型の鋼棒を２本、車イスのタイヤの幅に並べ、Ｘ型に加工した鋼材の先端部に穴をあけ、ボルト、ナットで間隔を固定する。
【実施例】
【０００７】以下、添付図面に従って実施例を説明する。１は、Ｌ字型の鋼棒で、２は、車イスのタイヤの幅にＬ字型の鋼棒を固定するＸ型の鋼材で、先端に穴をあけ、ボルト、ナットで固定される様になっている。【０００８】本考案の実施例は、上途の如き構成からなるものであり、車イス用スロープに用いる。
【図面の簡単な説明】
【０００９】
【図１】平面図
【図２】正面図
【図３】実施例図
【符号の説明】
【００１０】１、Ｌ字型の鋼棒
２、Ｘ型の鋼材
３、取付穴
４、ボルト・ナット
【図１】
0003197322.tif 000003
【図２】
0003197322.tif 000004
【図３】
0003197322.tif 000005
【手続補正書】
【提出日】平成27年2月16日(2015.2.16)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型の鋼棒を２本、車イスのタイヤの幅に並べ、Ｘ型の鋼材の先端に穴をあけ、ボルト、ナットで間隔を固定することを特徴とする簡易形車イススロープ。
(57)【要約】      （修正有）【課題】床面強度を確保しながら、扱い易く組み立てやすい構造の組立式ベッドを提供する。【解決手段】ベッドフレーム外枠Ａの内側に床板受けＣを設け、更に井桁状に組み上げた床板受けＢを内側に設置し、これらを直接床に設置する。【選択図】図１
0003197348.tif 000002
【実用新案登録請求の範囲】
【請求項１】
ベッドフレーム外枠の内側に井桁状に組み上げた床板受けを入れ、ベッドフレーム及び床板受けを直接床に設置する構造としたことを特徴とするベッド。
【考案の詳細な説明】
【技術分野】
【０００１】本考案は脚部が無いロータイプのベッド構造に関する
【背景技術】
【０００２】従来のロータイプベッドは床板部と本体フレームが一体化している構造であったり、本体外フレームの床板受け部分に補強桟を組み込んだ床板のエッジ部分を乗せる構造だったり、また本体外フレームの内側にすのこベッドのように補強桟を組み込んだ床板を直接床に設置する構造であった。
【先行技術文献】
【特許文献】
【０００３】
【特許文献１】特許公開２０１０−２７０４９８
【考案の概要】
【考案が解決しようとする課題】
【０００４】従来の技術によれば、組立式ロータイプベッドでは床板の表面強度を得る為にベッド本体フレーム内側に床板を支える為の桟を設け、裏側に補強桟を取り付けた床板を用いる必要があったが、そのために重みや厚みが増して取り扱いに不便があった。
【課題を解決するための手段】
【０００５】以上の課題を解決するために、本体外フレームに床板受けを設け、更に井桁状に組み上げた床板受けを本体外フレームの内側に設置しこれらを直接床に設置する構造とした。
【考案の効果】
【０００６】本体フレーム内側に床板受けを設け更に井桁状に組み上げた床板受けを本体外フレーム内側に置きこれらベッドの構造体を直接床に設置する構造にしたことにより、補強をしていない床板を乗せた状態でも床板の強度が確保出来、畳や、補強桟の無いすのこ等多様な床面が使用出来る。
【図面の簡単な説明】
【０００７】
【図１】本考案の一実施形態を示す斜視図で、ベッド床板を取り外した状態である
【図２】井桁状床受けを取り外した斜視図である
【図３】本考案の一実施形態を示す斜視図である
【考案を実施するための形態】
【０００８】本考案の一実施形態を図１に示す
【実施形態の効果】
【０００９】この実施形態によれば、補強した重い床板を使用しなくても床面の強度が保つことが出来る。
【符号の説明】
【００１０】Ａ  ベッド外枠
Ｂ  井桁状床板受け
Ｃ  床板受け
Ｄ  中央仕切り
Ｅ  床板
【図１】
0003197348.tif 000003
【図２】
0003197348.tif 000004
【図３】
0003197348.tif 000005
(57)【要約】      （修正有）【課題】遠投し重量物疑似餌と水流抵抗板が水面に着水し、ラインが交差しても水流抵抗板の凹部で糸絡みが発生しない糸絡み防止具を提供する。【解決手段】糸絡み防止具３の中心にライン孔１を設け、両端には水流抵抗板４の支持孔６に収まる支持腕２が設けられている。糸絡み防止具３の両端に設けられた支持腕２からライン孔１までの長さは、支持腕２が収まる水流抵抗板４の支持孔６から凹部ライン孔８までの長さと同等かそれ以上の長さとなるように備わる。【選択図】図１
0003197343.tif 000002
【実用新案登録請求の範囲】
【請求項１】
糸絡み防止具の中心にライン孔を設け両端には支持腕が設けられていることを特徴とする糸絡み防止具。
【請求項２】
糸絡み防止具の両端に設けられた支持腕からライン孔までの長さと支持腕が収まる水流抵抗板の支持孔から凹部ライン孔までの長さを同等かそれ以上の長さであることを特徴とする請求項１記載の糸絡み防止具。
【考案の詳細な説明】
【技術分野】
【０００１】本考案は釣り具の糸絡み防止具に関する。
【背景技術】
【０００２】魚釣りに使用されている重量物疑似餌を浮上させるための水流抵抗板がある。【０００３】重量物疑似餌を遠投し重量物疑似餌と、その上部に間をあけて取り付けられている水流抵抗板が水面に着水時、ラインが交差し水流抵抗板の凹部で糸絡みが発生することがあり、手元に回収するまでは糸絡みを解消することが困難であった。【０００４】その結果、水流抵抗板の回転でラインに撚れを発生させ魚釣りが困難になっていた。【０００５】実登３１８９５０１公報には水流抵抗板が紹介されているが糸絡み防止具が装着されていないため糸絡みが発生する。
【考案の概要】
【考案が解決しようとする課題】
【０００６】本考案の課題は遠投し重量物疑似餌と水流抵抗板が水面に着水し、ラインが交差しても水流抵抗板の凹部で糸絡みが発生しない糸絡み防止具を提供する。
【課題を解決するための手段】
【０００７】本考案に係る糸絡み防止具は中心にライン孔が設けられ、水流抵抗板の上部外側に、それぞれ設けられた支持孔に糸絡み防止具の両端に設けられた支持腕が搖動可能に取り付けられて構成されており、ラインが緩み交差しても水流抵抗板の凹部にラインが入り込まないため、糸絡みが発生しない。【０００８】また、本考案の糸絡み防止具は支持腕からライン孔までの長さと水流抵抗板に設けられた支持孔から凹部ライン孔までの長さは同等かそれ以上とすることにより水流抵抗板の凹部ライン孔から出ているラインが激しく撓んでも糸絡み防止具には負荷が掛からなくなる。
【考案の効果】
【０００９】魚釣りで遠投し、金属等を多く使用した重量物である疑似餌と水流抵抗板を水面に着水させたときラインが緩み交差することがあり、その時に水流抵抗板の凹部で糸絡みが発生するため、水流抵抗板が回転しラインに撚れがかかり浮上作用が減勢されていたが、本考案の糸絡み防止具を用いればラインが緩み交差しても水流抵抗板の凹部では糸絡みが発生せず水流抵抗板の浮上作用を減勢させることはない。
【図面の簡単な説明】
【００１０】
【図１】図１は本考案の実施形態に係る糸絡み防止具が水流抵抗板に取り付けられた斜視図である。
【考案を実施するための形態】
【００１１】本考案の糸絡み防止具は中心にライン孔が設けられ、水流抵抗板の上部外側に、それぞれ設けられた支持孔に糸絡み防止具の両端に設けられた支持腕が搖動可能に取り付けられて構成されている。以下、本考案の実施形態を図面に基づいて具体的に説明する。
【実施例】
【００１２】図１は本考案の実施形態に係る糸絡み防止具３が備わった水流抵抗板４で糸絡み防止具３の中心にライン孔１を設け両端が支持腕２となり、それぞれの支持腕２が水流抵抗板４の外側の上部にそれぞれ設けられた支持孔６に搖動可能で備り支持腕２からライン孔１までの長さと水流抵抗板４に設けられた支持孔６から凹部ライン孔８までの長さは同等かそれ以上となるように備わる。
【産業上の利用可能性】
【００１３】本考案の糸絡み防止具は水流抵抗板の凹部で糸絡みが発生しないため、連続した魚釣りが可能となる。
【符号の説明】
【００１４】１・・・ライン孔
２・・・支持腕
３・・・糸絡み防止具
４・・・水流抵抗板
５・・・凹部
６・・・支持孔
７・・・ライン
８・・・凹部ライン孔
【図１】
0003197343.tif 000003
【手続補正書】
【提出日】平成27年2月23日(2015.2.23)
【手続補正１】
【補正対象書類名】実用新案登録請求の範囲
【補正対象項目名】全文
【補正方法】変更
【補正の内容】
【実用新案登録請求の範囲】
【請求項１】
糸絡み防止具の中心にライン孔を設け、両端には水流抵抗板の支持孔に収まる支持腕が設けられていることを特徴とする糸絡み防止具。
【請求項２】
糸絡み防止具の両端に設けられた支持腕からライン孔までの長さは、支持腕が収まる水流抵抗板の支持孔から凹部ライン孔までの長さと同等かそれ以上の長さであることを特徴とする請求項１記載の糸絡み防止具。
(57)【要約】      （修正有）【課題】部品代、加工工程代が安価で、手を傷つけたり、タイヤに対する悪影響が小さいボウフラ発生防止雨水槽用覆い装置を提供する。【解決手段】蚊が雨水槽に入れなくする網１を、ロールで大量に生産できる安価なプラスチック製とする。その網を雨水流入口の寸法より大きく切断した上、それを固定するための部品を棒バネで末広がりに作成し、そのバネ２を網目に通して押さえる事により網を固定する。【選択図】図１
0003197126.tif 000002
【実用新案登録請求の範囲】
【請求項１】
雨水槽蓋の表面に密着しして雨水流入口を覆うことが出来る大きさに形成された蚊の通過を防止可能な網目間隔を有したプラスッチク製網と、その網目を通過することを特徴とする雨水槽蓋に固定するための末広がりに形成された棒バネの組み合わせによるボウフラ発生防止雨水槽蓋用覆い装置
【考案の詳細な説明】
【技術分野】
【０００１】  本考案は、雨水槽蓋の雨水注入口を覆い、ごみ  異物の進入と、特に蚊の侵入を防止することにより、ボウフラ、蚊の発生を防ぐことを目的としている。
【背景技術】
【０００２】  従来は、ステンレス金網やプラスチック板に固定用板バネを圧接して一体化したものや、プラスチックで同時成形して製作していた。目的のボウフラ発生防止は出来ているが、コスト的に高いものになっていた。
【先行技術文献】
【特許文献】
【０００３】
【特許文献１】実用新案昭５６−０２５７８６
【特許文献２】実用新案昭５９−０１９６８４
【特許文献３】実用新案昭６０−０８０１７９
【特許文献４】特開２００４−６０２７４
【特許文献５】登録実用新案３１０３６０７
【特許文献２】特開２０１２−１８８９２０
【考案の概要】
【考案が解決しようとする課題】  デング熱などの感染症対策として蚊の発生を防止するということは大きな効果がある。蚊の発生場所として雨水槽は大きな位置を占め、その雨水流入口に蚊が侵入できなくするという手段は多数考案されている。この対策は各家庭で個別に実施するよりも地域全体で実施することでより大きな効果が得られる。しかし、現状はステンレス金網や、穴の開いたプラスチック板に固定用板バネを固定するかプラスチックで同時成形するといった製法で作成されているため数百円／１個という価格で販売されており、地域全体で実施するためには道路端の雨水下水路も含めると総額が大きくなってしまい、各家庭での実施のみに留まっている。
【課題を解決するための手段】
【０００４】  この考案は、蚊が雨水槽に入れなくする網にプラスチック製の網を採用することによりロールで大量に生産できる安価な素材を使用し、その網を雨水流入口の寸法より大きく切断した上、それを固定するための部品を棒バネで末広がりに作成し、そのバネを網の網目を通して押さえる事により固定するという構造をとっている。
【考案の効果】
【０００５】  この考案の部品はプラスチック網を雨水流入口の大きさより少し大きいサイズにカットした部品と、末広がりに成形された棒バネのみで構成されているので部品代、加工工程代が従来に比べ安価に出来るという効果がある。またプラスチック製網を使用するため、ステンレス製に比べ手を傷つけたり、タイヤに対する悪影響が小さい。
【図面の簡単な説明】
【０００６】
【図１】考案装置の見取り図
【図２】考案装置の断面図１
【図３】考案装置の断面図２  先端を外に曲げたもの
【図４】考案装置の断面図３  棒バネを曲面に曲げたもの
【図５】考案装置の断面図４  先端を内側に曲げたもの
【図６】従来装置の断面図
【図７】考案装置が設置された断面図
【図８】考案装置のバネ単体の断面図
【考案を実施するための形態】
【０００７】
【実施例１】
【０００８】  図１のように高密度ポリエチレンの網目１．８ｍｍの工業用ネットを雨水流入口の大きさより全周５ｍｍ大きくカットし、蚊侵入防止網部品１を作成する。図８のように径０．７ｍｍのピアノ線を使用し、末広がり固定用棒バネ２を部品２の上部より穴を貫通させボウフラ発生防止雨水槽蓋用覆い装置を作成した。棒バネ２は図３のように雨水槽蓋底面の部分よりさらに外側に折り曲げると強固な固定が出来る（図７）。図４のように曲線にすることでも固定力は強くなる。図５は先端を内側に曲げることにより、初期設置のときに棒バネ先端が雨水槽蓋側面に引っかかりにくくなりスムーズな設置が出来る。【０００９】図６は従来の固定用バネを圧接しているものである。
【符号の説明】
【００１０】１  蚊進入防止網
２  固定用末広がり棒バネ
３  先端をさらに広げた棒バネ
４  曲線にした棒バネ
５  先端を内側に曲げた棒バネ
６  従来の固定部品
７  圧着している点
【図１】
0003197126.tif 000003
【図２】
0003197126.tif 000004
【図３】
0003197126.tif 000005
【図４】
0003197126.tif 000006
【図５】
0003197126.tif 000007
【図６】
0003197126.tif 000008
【図７】
0003197126.tif 000009
【図８】
0003197126.tif 000010